(57)【要約】【課題】画像表示部の設置部での光環境状態にかかわらず、屋外の看者に画像を鮮明に見せることのできる表示システムを提供する。【解決手段】屋外Ｏに設置されて画像Ｇを表示する画像表示部１と、第１画像信号Ｉｇ１を生成して画像表示部１に送信する第１画像信号生成部２Ａと、第２画像信号Ｉｇ２を生成して画像表示部１に送信する第２画像信号生成部２Ｂと、画像表示部１に第１画像信号Ｉｇ１が送信される第１画像信号送信状態と、画像表示部１に第２画像信号Ｉｇ２が送信される第２画像信号送信状態とを切り替え可能な送信状態切替部５と、を備え、送信状態切替部５は、画像Ｇの色調が画像表示部１の設置部Ｂの光環境状態Ｉｓに応じた色調となるように第１画像信号送信状態と第２画像信号送信状態を切り替える。【選択図】図１
2019074629.tif 000002
【特許請求の範囲】
【請求項１】
屋外に設置されて画像を表示する画像表示部と、
前記画像表示部にて前記画像を表示するための第１画像信号を生成して前記画像表示部に送信する第１画像信号生成部と、
前記画像表示部にて前記画像を表示するための第２画像信号を生成して前記画像表示部に送信する第２画像信号生成部と、
前記画像表示部に前記第１画像信号が送信される第１画像信号送信状態と、前記画像表示部に前記第２画像信号が送信される第２画像信号送信状態とを切り替え可能な送信状態切替部と、を備え、
前記第１画像信号と前記第２画像信号とは、前記画像表示部に表示される画像の色調が異なるように構成され、
前記送信状態切替部は、前記画像表示部に表示される画像の色調が前記画像表示部の設置部の光環境状態に応じた色調となるように前記第１画像信号送信状態と前記第２画像信号送信状態を切り替えることを特徴とする表示システム。
【請求項２】
前記第１画像信号生成部が第１画像処理装置にて構成され、
前記第２画像信号生成部が前記第１画像処理装置とは異なる第２画像処理装置にて構成され、
前記第１画像処理装置と前記第２画像処理装置とが、前記送信状態切替部の切り替え状態にかかわらず、前記画像表示部に前記第１画像信号と前記第２画像信号を送信可能な状態で並行作動されていることを特徴とする請求項１記載の表示システム。
【請求項３】
前記光環境状態が、前記画像表示部の設置部にて計測される輝度又は照度、或いは、時刻であることを特徴とする請求項１又は２記載の表示システム。
【請求項４】
前記画像表示部の設置部にて前記光環境状態として輝度又は照度を計測する光計測部が備えられ、
前記光計測部には、入射光から特定の偏光を除去可能な偏光除去手段が備えられていることを特徴とする請求項１〜３のいずれか１項に記載の表示システム。
【請求項５】
前記画像表示部の設置部にて前記光環境状態としての輝度又は照度を計測する光計測部が備えられ、
前記光計測部は、第１計測情報と、第１計測情報よりも輝度又は照度が低く計測される第２計測情報とを取得可能であり、
前記送信状態切替部は、前記第１計測情報に応じて前記第１画像信号送信状態と前記第２画像信号送信状態を切り替える第１切替状態と、前記第２計測情報に応じて前記第１画像信号送信状態と前記第２画像信号送信状態を切り替える第２切替状態とを、切り替え可能に構成されていることを特徴とする請求項１〜４のいずれか１項に記載の表示システム。
【発明の詳細な説明】
【技術分野】
【０００１】
本発明は、屋外にて広告画像等の画像（映像を含む）を表示する表示システムに関する。
【背景技術】
【０００２】
この種の表示システムは、ＬＥＤビジョン等の画像表示部（例えば、特許文献１参照）を備えている。そして、このような画像表示部を駅舎等の建物の屋上等に設置し、広告画像等の所望の画像を表示するための画像信号を再生装置等の画像信号生成部から画像表示部に送信することで、画像表示部に所望の画像を表示させるように構成されている。よって、屋外を通行する通行人等の屋外の看者に対して所望の画像を見せることができる。
【先行技術文献】
【特許文献】
【０００３】
【特許文献１】特開２０１６−１４２８６１号公報
【発明の概要】
【発明が解決しようとする課題】
【０００４】
屋外に画像表示部を設置して屋外で画像を表示する場合、画像表示部の設置部での光環境状態（設置部の明るさやそれとの相関を有する時刻等）によって画像の見え方（明度や彩度やコントラスト等の色調の見え方）が大きく異なってしまう。例えば、太陽光が画像表示部に差し込んでいる場合のように画像表示部の設置部が非常に明るい場合には、そのような光環境状態との関係で画像の色調が薄くてコントラストも弱く見えることになり、屋外の看者に画像を鮮明に見せることはできない。また、これとは逆に、太陽光が画像表示部に差し込んでいない場合のように画像表示部の設置部が比較的暗い場合には、そのような光環境状態との関係で画像の色調が濃くてコントラストも強く見えることになり、やはり屋外の看者に画像を鮮明に見せることはできない。
【０００５】
この実情に鑑み、本発明の主たる課題は、画像表示部の設置部での光環境状態にかかわらず、屋外の看者に画像を鮮明に見せることのできる表示システムを提供する点にある。
【課題を解決するための手段】
【０００６】
本発明の第１特徴構成は、屋外に設置されて画像を表示する画像表示部と、
前記画像表示部にて前記画像を表示するための第１画像信号を生成して前記画像表示部に送信する第１画像信号生成部と、
前記画像表示部にて前記画像を表示するための第２画像信号を生成して前記画像表示部に送信する第２画像信号生成部と、
前記画像表示部に前記第１画像信号が送信される第１画像信号送信状態と、前記画像表示部に前記第２画像信号が送信される第２画像信号送信状態とを切り替え可能な送信状態切替部と、を備え、
前記第１画像信号と前記第２画像信号とは、前記画像表示部に表示される画像の色調が異なるように構成され、
前記送信状態切替部は、前記画像表示部に表示される画像の色調が前記画像表示部の設置部の光環境状態に応じた色調となるように前記第１画像信号送信状態と前記第２画像信号送信状態を切り替えることを特徴とする点にある。
【０００７】
本構成によれば、第１画像信号生成部と第２画像信号生成部にて、画像表示部に表示される画像の色調が異なる第１画像信号（例えば明るい光環境状態で鮮明に見える色調の画像を表示する画像信号）と第２画像信号（例えば暗い光環境状態で鮮明に見える色調の画像を表示する画像信号）とを生成する。そして、画像表示部に第１画像信号が送信される第１画像信号送信状態と、画像表示部に第２画像信号が送信される第２画像信号送信状態とを切り替え可能な送信状態切替部にて、画像表示部に表示される画像の色調が画像表示部の設置部の光環境状態に応じた色調となるように第１画像信号送信状態と第２画像信号送信状態を切り替えるので、画像表示部の設置部の光環境状態の下で鮮明に見える色調の画像を画像表示部にて表示することができる。よって、画像表示部の設置部の光環境状態にかかわらず、屋外の看者に画像を鮮明に見せることができる。
【０００８】
本発明の第２特徴構成は、前記第１画像信号生成部が第１画像処理装置にて構成され、
前記第２画像信号生成部が前記第１画像処理装置とは異なる第２画像処理装置にて構成され、
前記第１画像処理装置と前記第２画像処理装置とが、前記送信状態切替部の切り替え状態にかかわらず、前記画像表示部に前記第１画像信号と前記第２画像信号を送信可能な状態で並行作動されていることを特徴とする点にある。
【０００９】
本構成によれば、第１画像信号生成部と第２画像信号生成部とが、別々の装置（第１画像処理装置と第２画像処理装置）にて構成され、送信状態切替部の切り替え状態にかかわらず、画像表示部に第１画像信号と第２画像信号を送信可能な状態で並行作動されているので、画像表示部に第１画像信号を送信する第１画像信号送信状態と、画像表示部に第２画像信号を送信する第２画像信号送信状態とを、送信状態切替部にて迅速且つスムーズに切り替えることができる。
【００１０】
本発明の第３特徴構成は、前記光環境状態が、前記画像表示部の設置部にて計測される輝度又は照度、或いは、時刻であることを特徴とする点にある。
【００１１】
本構成によれば、光環境状態が、画像表示部の設  置部にて計測される輝度又は照度、或いは、時刻（輝度又は照度と相関を有する時刻）であるので、送信状態切替部にて第１画像信号送信状態と第２画像信号送信状態とを切り替えるための指標となる光環境状態を簡単に取得することができる。
【００１２】
本発明の第４特徴構成は、前記画像表示部の設置部にて前記光環境状態としての輝度又は照度を計測する光計測部が備えられ、
前記光計測部には、入射光から特定の偏光を除去可能な偏光除去手段が備えられていることを特徴とする点にある。
【００１３】
本構成によれば、画像表示部の設置部に備えられた光計測部により、光環境状態としての輝度又は照度を計測することができる。しかも、光計測部には、入射光から特定の偏光を除去可能な偏光除去手段が備えられているので、例えば、特に強い反射光等を偏光除去手段で除去し、そのような反射光の影響を除外した状態で光環境状態としての輝度又は照度を計測することができる。よって、送信状態切替部において、画像表示部に表示される画像の色調が、特に強い反射光の影響等を除外した光環境状態に応じた色調となるように第１画像信号送信状態と第２画像信号送信状態とを切り替えることができる。
【００１４】
本発明の第５特徴構成は、前記画像表示部の設置部にて前記光環境状態としての輝度又は照度を計測する光計測部が備えられ、
前記光計測部は、第１計測情報と、第１計測情報よりも輝度又は照度が低く計測される第２計測情報とを取得可能であり、
前記送信状態切替部は、前記第１計測情報に応じて前記第１画像信号送信状態と前記第２画像信号送信状態を切り替える第１切替状態と、前記第２計測情報に応じて前記第１画像信号送信状態と前記第２画像信号送信状態を切り替える第２切替状態とを、切り替え可能に構成されていることを特徴とする点にある。
【００１５】
本構成によれば、第１計測情報に応じて第１画像信号送信状態と第２画像信号送信状態を切り替える第１切替状態と、第２計測情報に応じて第１画像信号送信状態と第２画像信号送信状態を切り替える第２切替状態とを適切に切り替えることで、画像信号送信状態の切替内容に差のある第１切替状態と第２切替状態とをうまく活用し、画像表示部に表示される画像の色調が設置部の光環境状態に応じた色調となるように第１画像信号送信状態と第２画像信号送信状態とを適切に切り替えることができる。
【００１６】
例えば、光計測部に前述した偏光除去手段を備えさせる場合であれば、偏光除去手段にて特に強い反射光を除外しない状態で計測される輝度又は照度を第１計測値として取得し、偏光除去手段にて特に強い反射光を除外する状態で計測される輝度又は照度を第２計測値として取得することができる。また、前記送信状態切替部は、第１切替状態と第２切替状態を時刻に応じて自動的に切り替えるように構成することができる。
【００１７】
その場合、朝夕などは、画像表示部の設置部での光環境状態としての輝度又は照度が低くなり勝ちで、暗い光環境状態で鮮明に見える色調の画像を画像表示部に表示するように送信状態切替部にて第１画像信号送信状態と第２画像信号送信状態を切り替える場合が多い。そのため、このような朝夕の時間帯などは、送信状態切替部を、輝度又は照度が相対的に低く計測される第２計測値に応じて第１画像信号送信状態と第２画像信号送信状態を切り替える第２切替状態に切り替えることで、暗い光環境状態で鮮明に見える色調の画像を画像表示部に表示し勝ちになるように送信状態切替部にて第１画像信号送信状態と第２画像信号送信状態を切り替えることができる。
よって、朝夕の時間帯などの画像表示部の設置部が比較的暗い場合に、画像が鮮明に見えない不都合を一層確実に回避することができる。
【図面の簡単な説明】
【００１８】
【図１】表示システムの第１実施形態を示す構成図
【図２】表示システムの第２実施形態を示す構成図
【図３】表示システムの別実施形態を示す構成図
【図４】表示システムの別実施形態を示す構成図
【発明を実施するための形態】
【００１９】
本発明に係る表示システムの実施形態を図面に基づいて説明する。
この表示システムは、図１に示すように、屋外Ｏに設置されて画像Ｇを表示する屋外ディスプレイ１（画像表示部の一例）と、屋外ディスプレイ１にて画像Ｇを表示するための第１、第２画像信号Ｉｇ１，Ｉｇ２（複数の画像信号の一例）を生成して屋外ディスプレイ１に送信する画像処理装置２としての第１、第２画像処理装置２Ａ，２Ｂ（第１、第２画像信号生成部の一例、複数の画像信号生成部の一例）と、が備えられている。
【００２０】
第１画像信号Ｉｇ１と第２画像信号Ｉｇ２とは、屋外ディスプレイ１に表示される画像Ｇの色調が異なるように構成されている。具体的には、第１画像信号Ｉｇ１と第２画像信号Ｉｇ２とは、屋外ディスプレイ１に表示される画像Ｇの内容（構成や構図）は同一のままで画像Ｇの色調が異なるように構成されている。なお、本明細書において、色調とは、色の調子であり、明度や彩度やコントラスト等を含む。
本実施形態では、第１画像信号Ｉｇ１は、暗い光環境状態で画像Ｇが鮮明に見えるように、第２画像信号Ｉｇ２よりも屋外ディスプレイ１に表示される画像Ｇの色調が薄くてコントラストも弱くなるように構成されている。また、第２画像信号Ｉｇ２は、明るい光環境状態で画像Ｇが鮮明に見えるように、第１画像信号Ｉｇ１よりも屋外ディスプレイ１に表示される画像Ｇの色調が濃くてコントラストも強くなるように構成されている。
屋外ディスプレイ１は、第１、第２画像処理装置２Ａ，２Ｂから送信されて受信する第１、第２画像信号Ｉｇ１，Ｉｇ２の各々に基づいて表示面１Ａに画像Ｇを表示する。
なお、図１では、屋外ディスプレイ１が、第２画像処理装置２Ｂから送信されて受信する第２画像信号Ｉｇ２に基づいて表示面１Ａに画像Ｇを表示している状態を例示している。
【００２１】
また、この表示システムには、屋外ディスプレイ１に第１画像信号Ｉｇ１が送信される第１画像信号送信状態と、屋外ディスプレイ１に第２画像信号Ｉｇ２が送信される第２画像信号送信状態とを切り替え可能な送信状態切替装置５（送信状態切替部の一例）と、屋外ディスプレイ１の設置部Ｂでの光環境状態として屋外ディスプレイ１の設置部Ｂでの輝度又は照度の計測情報Ｉｓを計測する光計測装置４（光計測部の一例）が備えられている。
【００２２】
送信状態切替装置５は、屋外ディスプレイ１に表示される画像Ｇの色調が光環境状態として光計測装置４にて計測される輝度又は照度に応じた色調となるように第１画像信号送信状態と第２画像信号送信状態を切り替えるように構成されている。このように送信状態切替装置５が第１画像信号送信状態と第２画像信号送信状態とを切り替えることで、表示システムは、屋外Ｏの看者に対して鮮明な画像Ｇを見せることができる。
なお、屋外ディスプレイ１の設置部Ｂでの光環境状態は、設置部Ｂにおける輝度又は照度に限らず、設置部Ｂの明るさと相関を有する時刻等であってもよい。
以下、各部の具体的構成について説明を加える。
【００２３】
屋外ディスプレイ１は、第１、第２画像信号Ｉｇ１，Ｉｇ２を受信する入力端子等の受信部（入力部）、多数の発光ダイオード（ＬＥＤ）をマトリクス状に配置する等により画像Ｇ（映像を含む）を表示可能な表示面１Ａ、多数の発光ダイオード等の発光状態を制御する制御部等を備えたＬＥＤビジョン等から構成されている。屋外ディスプレイ１は、第１、第２画像信号Ｉｇ１，Ｉｇ２の各々に基づいて制御部が多数の発光ダイオード等の発光状態を制御することで、第１、第２画像信号Ｉｇ１，Ｉｇ２の各々に対応する画像Ｇを表示面１Ａに表示することができる。
なお、屋外ディスプレイ１としては、ＬＥＤビジョンの他、液晶ディスプレイなどの屋外Ｏで画像Ｇを表示可能な各種の表示装置を採用することができる。
【００２４】
第１画像処理装置２Ａは、例えば、演算部や記憶部、送受信部（入出力部）、モニタ等を備え、記憶部や記憶媒体から読み出した画像情報等から屋外ディスプレイ１にて画像Ｇを表示するための第１画像信号Ｉｇ１を生成して屋外ディスプレイ１に送信可能に構成されている。本実施形態では、第１画像処理装置２Ａは、例えば、パーソナルコンピュータから構成され、画像情報等から第１画像信号Ｉｇ１を生成し、その第１画像信号Ｉｇ１をケーブルＣ１ａ、Ｃ２を介して屋外ディスプレイ１に送信するように構成されている。
【００２５】
第２画像処理装置２Ｂは、例えば、演算部や記憶部、送受信部（入出力部）、モニタ等を備え、記憶部や記憶媒体から読み出した画像情報等から屋外ディスプレイ１にて画像Ｇを表示するための第２画像信号Ｉｇ２を生成して屋外ディスプレイ１に送信可能に構成されている。本実施形態では、第２画像処理装置２Ｂは、例えば、パーソナルコンピュータから構成され、画像情報等から第２画像信号Ｉｇ２を生成し、その第２画像信号Ｉｇ２をケーブルＣ１ｂ、Ｃ２を介して屋外ディスプレイ１に送信するように構成されている。
【００２６】
第１画像処理装置２Ａと第２画像処理装置２Ｂは、送信状態切替装置５の切り替え状態にかかわらず、屋外ディスプレイ１に第１画像信号Ｉｇ１と第２画像信号Ｉｇ２を送信可能な状態で並行作動されている。具体的には、第１画像処理装置２Ａは、送信状態切替装置５の切り替え状態にかかわらず、第１画像信号Ｉｇ１を生成し、送信状態切替装置５に送信する作動状態を継続するように構成されている。また、第２画像処理装置２Ｂは、送信状態切替装置５の切り替え状態にかかわらず、第２画像信号Ｉｇ２を生成し、送信状態切替装置５に送信する作動状態を継続するように構成されている。
【００２７】
送信状態切替装置５は、演算部や記憶部、送受信部（入出力部）等を備え、第１、第２画像処理装置２Ａ，２Ｂから送信された第１、第２画像信号Ｉｇ１，Ｉｇ２を受信し、その受信した第１、第２画像信号Ｉｇ１，Ｉｇ２の一方を屋外ディスプレイ１に送信するように構成されている。
この送信状態切替装置５は、例えば、パーソナルコンピュータ等にて構成することもできるが、図示の例では、スイッチング回路を備えた信号切替装置として構成されている。
送信状態切替装置５は、ケーブルＣ３を介して光計測装置４から輝度又は照度の計測情報Ｉｓを随時受信するとともに、ケーブルＣ１ａ，Ｃ１ｂを介して第１、第２画像処理装置２Ａ，２Ｂから第１、第２画像信号Ｉｇ１，Ｉｇ２を随時受信している。そして、輝度又は照度の計測情報Ｉｓに応じて送信する画像信号を切り替える形態で、ケーブルＣ２を介して屋外ディスプレイ１に第１、第２画像信号Ｉｇ１，Ｉｇ２の一方を随時送信している。
【００２８】
この送信状態切替装置５は、前述の如く、屋外ディスプレイ１に表示される画像Ｇの色調が屋外ディスプレイ１の設置部Ｂの光環境状態に応じた色調となるように、屋外ディスプレイ１に第１画像処理装置２Ａから第１画像信号Ｉｇ１を送信する第１画像信号送信状態と、屋外ディスプレイ１に第２画像処理装置２Ｂから第２画像信号Ｉｇ２を送信する第２画像信号送信状態とを切り替える。そのため、屋外ディスプレイ１の設置部Ｂの光環境状態の下で鮮明に見える色調の画像Ｇを屋外ディスプレイ１にて表示することができる。
【００２９】
具体的には、送信状態切替装置５は、光計測装置４にて計測される設置部Ｂでの輝度又は照度が設定値を超えるなど、予め設定された第２切替条件に該当する場合には、図１に例示するように、明るい光環境状態で画像Ｇが鮮明に見える側の第２画像信号Ｉｇ２を送信する第２画像信号送信状態に切り替える。
そのため、設置部Ｂの輝度又は照度が高くて屋外ディスプレイ１の周囲が非常に明るい場合等には、そのような光環境状態との関係で画像Ｇの色調が薄くてコントラストも弱く見えることに対応し、画像Ｇの色調が濃くコントラストも強くなる側の第２画像信号Ｉｇ２を屋外ディスプレイ１に送信することができ、その第２画像信号Ｉｇ２に基づいて屋外ディスプレイ１にて画像Ｇを表示することができる。
よって、このように設置部Ｂの輝度又は照度が高くて屋外ディスプレイ１の周囲が非常に明るい場合等でも、屋外Ｏの看者に画像Ｇを鮮明に見せることができる。
【００３０】
また、これとは逆に、送信状態切替装置５は、光計測装置４にて計測される設置部Ｂでの輝度又は照度が記憶部に記憶された設定値未満であるなど、予め設定された第１切替条件に該当する場合には、暗い光環境状態で画像Ｇが鮮明に見える側の第１画像信号Ｉｇ１を送信する第１画像信号送信状態に切り替える。
そのため、設置部Ｂの輝度又は照度が低くて屋外ディスプレイ１の周囲が比較的暗い場合等には、そのような光環境状態との関係で画像Ｇの色調が濃くてコントラストも強く見えることに対応し、画像Ｇの色調が薄くコントラストも弱くなる側の第１画像信号Ｉｇ１を屋外ディスプレイ１に送信することができ、その第１画像信号Ｉｇ１に基づいて屋外ディスプレイ１にて画像Ｇを表示することができる。
よって、このように設置部Ｂの輝度又は照度が低くて屋外ディスプレイ１の周囲が比較的暗い場合等でも、屋外Ｏの看者に画像Ｇを鮮明に見せることができる。
【００３１】
光計測装置４は、輝度又は照度の計測情報Ｉｓを計測可能な光センサ４Ａにて構成されている。この光センサ４Ａは、公知の照度計や輝度計と同じように、センサ本体４ａの外表面に露出する状態で受光部４ｂが備えられており、受光部４ｂに入射する入射光から輝度又は照度を計測するように構成されている。光センサ４Ａは、受光部４ｂの受光面が屋外ディスプレイ１の表示面１Ａと同一又は略同一の姿勢となる状態で設置されており、屋外ディスプレイ１と表示面１Ａと同様の条件で輝度又は照度を計測するようになっている。
【００３２】
光センサ４Ａには、反射光等の特定の偏光を除去可能なＰＬフィルター等の円盤状の偏光フィルター４ｃ（偏光除去手段の一例）が、受光部４ｂの外部を覆う状態で備えられている。偏光フィルター４ｃは、それの中心軸回りで回転させることにより、偏光面の向きを変更して除去対象とする特定の偏光を変更可能に構成されている。そのため、偏光フィルター４ｃは、センサ本体４ａに対してネジ接合等により中心軸回りで回転自在に装着されている。
【００３３】
そして、この表示システムでは、屋外ディスプレイ１の設置部Ｂに光計測装置４を設置する際に、偏光フィルター４ｃの偏光面の向きを調整することで、光センサ４Ａの受光部４ｂへの特定の方向からの反射光を適切に除去するように調整されている。そのため、送信状態切替装置５での画像信号送信状態の切り替えに悪影響を与える特定の反射光の影響を除外した状態で輝度又は照度を適切に計測することができ、その計測情報Ｉｓに基づき、送信状態切替装置５にて第１画像信号送信状態と第２画像信号送信状態とを適切に切り替えることができる。
【００３４】
〔第２実施形態〕
この第２実施形態では、光計測装置４が、二つ（複数の一例）の光センサ４Ｂ，４Ｄを備えて構成されており、一方の光センサ４Ｂにて計測される計測情報と、他方の光センサ４Ｄにて計測される計測情報とを取得可能に構成されている。
【００３５】
一方の光センサ４Ｂは、輝度又は照度が後述する第２計測情報Ｉｓ２よりも高く計測される第１計測情報Ｉｓ１を計測するように構成されている。他方の光センサ４Ｄは、輝度又は照度が第１計測情報Ｉｓ１よりも低く計測される第２計測情報Ｉｓ２を計測するように構成されている。
【００３６】
本実施形態では、光センサ４Ｂ，４Ｄが、前述の第１実施形態で説明した光センサ４Ａと同じ構造となっており、センサ本体４ａに対して偏光フィルター４ｃをその中心軸回りで回転自在に装着して構成されている。
そして、一方の光センサ４Ｂは、光量の大きな特定の反射光を除去しない状態に偏光フィルター４ｃの偏光面の向きを調整することで、輝度又は照度が相対的に高く計測される第１計測情報Ｉｓ１を計測し、ケーブルＣ３を介してその第１計測情報Ｉｓ１を送信状態切替装置５に送信するようになっている。他方の光センサ４Ｄは、光量の大きな特定の反射光を除去する状態に偏光フィルター４ｃの偏光面の向きを調整することで、輝度又は照度が相対的に低く計測される第２計測情報Ｉｓ２を計測し、ケーブルＣ４を介してその第２計測情報Ｉｓ２を送信状態切替装置５に送信するようになっている。
【００３７】
そして、送信状態切替装置５は、第１計測情報Ｉｓ１に応じて第１画像信号送信状態と第２画像送信状態とを切り替える第１切替状態と、第２計測情報Ｉｓ２に応じて第１画像信号送信状態と第２画像送信状態とを切り替える第２切替状態とを、切り替え可能に構成されている。本実施形態では、送信状態切替装置５は、第１切替状態と第２切替状態とを、例えば、時刻に応じて自動的に切り替えるように構成されている。なお、送信状態切替装置５は、内部に保持する時刻情報から時刻を特定するように構成されていてもよいし、外部から時刻情報を受信して時刻を特定するように構成されていてもよい。
【００３８】
一例を挙げると、送信状態切替装置５は、例えば午前７時〜午後１７時までなどの設置部Ｂでの光環境状態としての輝度又は照度が高くなり勝ちで、明るい光環境状態で鮮明に見える色調の画像Ｇを屋外ディスプレイ１に表示するように送信状態切替装置５にて第１画像信号送信状態と第２画像送信状態とを切り替える場合が多い時刻であれば、輝度又は照度が相対的に高く計測される第１計測情報Ｉｓ１に応じて第１画像信号送信状態と第２画像送信状態とを切り替える第１切替状態に切り替える。このようにすることで、明るい光環境状態で鮮明に見える色調の画像Ｇを屋外ディスプレイ１に表示し勝ちになるように送信状態切替装置５にて第１画像信号送信状態と第２画像送信状態とを切り替えることができる。
【００３９】
また、送信状態切替装置５は、例えば午後１７時〜午前７時までなどの設置部Ｂでの光環境状態としての輝度又は照度が低くなり勝ちで、暗い光環境状態で鮮明に見える色調の画像Ｇを屋外ディスプレイ１に表示するように送信状態切替装置５にて第１画像信号送信状態と第２画像送信状態とを切り替える場合が多い時刻である場合、輝度又は照度が相対的に低く計測される第２計測情報Ｉｓ２に応じて第１画像信号送信状態と第２画像送信状態とを切り替える第２切替状態に切り替える。このようにすることで、設置部Ｂの光環境状態としての輝度又は照度が低くなり勝ちである場合には、暗い光環境状態で鮮明に見える色調の画像Ｇを屋外ディスプレイ１に表示し勝ちになるように送信状態切替装置５にて第１画像信号送信状態と第２画像送信状態とを切り替えることができる。
【００４０】
〔別実施形態〕
（１）前述の各実施形態では、送信状態切替装置５にて切り替える複数の画像信号が、屋外ディスプレイ１に表示される画像Ｇの色調が異なる二つの画像信号（第１画像信号Ｉｇ１、第２画像信号Ｉｇ２）を例に示したが、送信状態切替装置５にて切り替える複数の画像信号は、屋外ディスプレイ１に表示される画像Ｇの色調が異なる三つ以上の画像信号であってもよい。
【００４１】
（２）前述の各実施形態では、第１画像処理装置２Ａ及び第２画像処理装置２Ｂがパーソナルコンピュータにて構成されている場合を例に示したが、このような構成に限るものではない。
例えば、図３に示すように、第１画像処理装置２Ａ及び第２画像処理装置２Ｂが、主として、記憶媒体等から画像情報を読み出して画像信号（第１画像信号Ｉｇ１、第２画像信号Ｉｇ２）を生成する画像信号生成部（再生部）と、画像信号（第１画像信号Ｉｇ１、第２画像信号Ｉｇ２）を送信する送信部とを備えたプレイヤー等の画像再生機器にて構成されていてもよい。なお、図３中において第１実施形態と同一の構成箇所には同一の符号を付している。
【００４２】
この場合、例えば、図３中に一点鎖線にて示すように、第１画像処理装置２Ａ及び第２画像処理装置２Ｂの作動状態（再生状態）を制御する管理装置６を設けることができる。
管理装置６は、例えば、パーソナルコンピュータ等にて好適に構成することができる。この場合、管理装置６は、ケーブルＣ４ａ、Ｃ４ｂ等にて第１画像処理装置２Ａ及び第２画像処理装置２Ｂに接続することができる。
管理装置６は、少なくとも、第１画像処理装置２Ａ及び第２画像処理装置２Ｂの作動状態（再生状態）を制御し、第１画像処理装置２Ａにて第１画像信号Ｉｇ１を生成（再生）する処理と、第２画像処理装置２Ｂにて第２画像信号Ｉｇ２を生成（再生）する処理とを、屋外ディスプレイ１に表示される画像Ｇの時点が揃う状態に同期させるように構成されている。
このようにすることで、送信状態切替装置５にて画像信号（第１画像信号Ｉｇ１、第２画像信号Ｉｇ２）を切り替えた場合に、屋外ディスプレイ１に表示される画像Ｇの切り替えをスムーズに行うことができる。
【００４３】
（３）前述の各実施形態では複数の画像信号（第１画像信号Ｉｇ１、第２画像信号Ｉｇ２）を、複数の画像処理装置２（第１画像処理装置２Ａ、第２画像処理装置２Ｂ）にて個別に生成して個別に屋外ディスプレイ１に送信し、通信経路の途中に設けられた送信状態切替装置５にて屋外ディスプレイ１に到達する複数の画像信号を切り替えるように構成されている場合を例に示したが、このような構成に限るものではない。
例えば、図４に示すように、単一のパーソナルコンピュータ等からなる単一の画像処理装置２Ｄにて、複数の画像信号を生成し、その画像処理装置２Ｄにて屋外ディスプレイ１に送信する画像信号を切り替える形態で屋外ディスプレイ１に画像信号を送信するように構成されていてもよい。なお、図４中において第１実施形態と同一の構成箇所には同一の符号を付している。
【００４４】
この場合、画像処理装置２Ｄには、複数の画像信号を生成する画像信号生成部（再生部）として、第１画像信号Ｉｇ１を生成する第１画像信号生成部（第１再生部）２ａと、第２画像信号Ｉｇ２を生成する第２画像信号生成部（第２再生部）２ｂが備えられる。また、画像処理装置２Ｄには、屋外ディスプレイ１に送信する画像信号を切り替える送信状態画切替部（画像信号切替部）２ｄ、屋外ディスプレイ１及び光計測装置４との間で信号の送受信を行う送受信部２ｅ等が備えられる。
【００４５】
この画像処理装置２Ｄは、第１画像信号生成部２ａ及び第２画像信号生成部２ｂにて第１画像信号Ｉｇ１及び第２画像信号Ｉｇ２を屋外ディスプレイ１に表示される画像Ｇの時点が揃う状態に同期させた状態で同時に生成している。そして、画像処理装置２Ｄは、送受信部２ｅにて光計測装置４からの輝度又は照度の計測情報Ｉｓを随時受信し、その計測情報Ｉｓに応じ、屋外ディスプレイ１に表示される画像Ｇの色調が屋外ディスプレイ１の設置部Ｂの光環境状態に応じた色調となるように、送信状態切替部２ｄにて画像信号を切り替える形態、送受信部２ｅにて屋外ディスプレイ１に第１、第２画像信号Ｉｇ１，Ｉｇ２の一方を随時送信している。そのため、屋外ディスプレイ１の設置部Ｂの光環境状態の下で鮮明に見える色調の画像Ｇを屋外ディスプレイ１にて表示することができる。
【００４６】
（４）前述の第２実施形態では、光計測装置４は、複数の光センサ４Ｂ，４Ｄにより第１計測情報Ｉｓ１と第２計測情報Ｉｓ２とを取得するように構成されていたが、複数の測定感度や測定能により輝度又は照度を測定可能な単一の光センサにより第１計測情報Ｉｓ１と第２計測情報Ｉｓ２とを取得するように構成されていてもよい。
【００４７】
（５）前述の第２実施形態では、光計測装置４は、性能を同一にする複数の光センサ４Ｂ，４Ｄにて構成されている場合を例に示したが、測定感度や測定能等の性能を異にする複数の光センサにて構成されていてもよい。
【００４８】
（６）前述の第２実施形態では、送信状態切替装置５が、第１計測情報Ｉｓ１に応じて第１画像信号送信状態と第２画像送信状態とを切り替える第１切替状態と、第２計測情報Ｉｓ２に応じて第１画像信号送信状態と第２画像送信状態とを切り替える第２切替状態とを、時刻に応じて自動的に切り替える場合を例に示したが、太陽の位置や輝度又は照度の区分など、時刻以外の指標に応じて自動的に切り替えるように構成してもよく、場合によっては手動で切り替えるように構成してもよい。また、第１画像信号送信状態と第２画像送信状態との切替基準となる第１計測情報Ｉｓ１と第２計測情報Ｉｓ２との切替判断を、送信状態切替装置５とは別体の切替装置にて実施するように構成してもよい。
【符号の説明】
【００４９】
１          屋外ディスプレイ（画像表示部）
２Ａ，２ａ  第１画像処理装置（第１画像信号生成部）
２Ｂ，２ｂ  第２画像処理装置（第２画像信号生成部）
４          光計測装置（光計測部）
４ｃ        偏光フィルター（偏光除去手段）
５，２ｄ    送信状態切替装置（送信状態切替部）
Ｂ          設置部
Ｇ          画像
Ｉｇ１    第１画像信号
Ｉｇ２    第２画像信号
Ｉｓ      計測情報（光環境状態）
Ｉｓ１    第１計測情報（光環境状態）
Ｉｓ２    第２計測情報（光環境状態）
【図１】
2019074629.tif 000003
【図２】
2019074629.tif 000004
【図３】
2019074629.tif 000005
【図４】
2019074629.tif 000006